(57)【要約】【課題】植物栽培用水中の酸素濃度を効果的に高めることが可能な技術が要望されている。【解決手段】オゾン水を生成し、オゾン水中のオゾンの分解反応により、溶存オゾン濃度が所定オゾン濃度以下になり、且つ、溶存酸素濃度が所定酸素濃度以上となった植物栽培用水。【選択図】図４
2015043729.tif 000002
【特許請求の範囲】
【請求項１】
オゾン水を生成し、前記オゾン水中のオゾンの分解反応により、溶存オゾン濃度が所定オゾン濃度以下になり、且つ、溶存酸素濃度が所定酸素濃度以上となった植物栽培用水。
【請求項２】
オゾンガスを水に溶解させることにより、若しくは、水を電気分解することにより前記オゾン水を生成する請求項１に記載の植物栽培用水。
【請求項３】
前記所定オゾン濃度が０．１ｐｐｍ〜１０ｐｐｍである請求項１又は２に記載の植物栽培用水。
【請求項４】
前記所定酸素濃度が当該植物栽培用水の温度における飽和酸素濃度より高い酸素濃度である請求項１〜３のいずれか一項に記載の植物栽培用水。
【請求項５】
前記溶存オゾン濃度が前記所定オゾン濃度以下となった後に所定の肥料成分を添加した請求項１〜４のいずれか一項に植物栽培用水。
【請求項６】
前記肥料成分が、鉄及びマンガンからなる群より選ばれた少なくとも１以上の物質を含む請求項５に記載の植物栽培用水。
【請求項７】
オゾン水を生成するオゾン水生成工程と、
前記オゾン水中のオゾンの分解反応により、溶存オゾン濃度を所定オゾン濃度以下とし、且つ、溶存酸素濃度を所定酸素濃度以上とする分解反応工程と、
を備えた植物栽培用水の製造方法。
【請求項８】
前記オゾン水生成工程において、オゾンガスを水に溶解させることにより、若しくは、水を電気分解することにより前記オゾン水を生成する請求項７に記載の植物栽培用水の製造方法。
【請求項９】
前記所定オゾン濃度が０．１ｐｐｍ〜１０ｐｐｍである請求項７又は８に記載の植物栽培用水の製造方法。
【請求項１０】
前記所定酸素濃度が当該植物栽培用水の温度における飽和酸素濃度より高い酸素濃度である請求項７〜９のいずれか１項に記載の植物栽培用水の製造方法。
【請求項１１】
前記溶存オゾン濃度が前記所定オゾン濃度以下となった後に所定の肥料成分を添加する肥料成分添加工程を備えた請求項７〜１０のいずれか一項に記載の植物栽培用水の製造方法。
【請求項１２】
前記肥料成分添加工程で添加される前記肥料成分が、鉄及びマンガンからなる群より選ばれた少なくとも１以上の物質を含む請求項１１に記載の植物栽培用水の製造方法。
【請求項１３】
請求項１〜１２のいずれか一項に記載の植物栽培用水の製造を行う植物栽培用水製造設備であって、
オゾン水を生成するオゾン水生成装置と、
前記オゾン水中の溶存オゾンの分解反応を行う分解反応槽とを備えた植物栽培用水製造設備。
【請求項１４】
請求項１３に記載の植物栽培用水製造設備と、
前記植物栽培用水製造設備で製造された植物栽培用水を、栽培床に灌水する灌水装置とを備えた植物栽培システム。
【発明の詳細な説明】
【技術分野】
【０００１】
本発明は、植物栽培用水、植物栽培用水の製造方法、植物栽培用水の製造設備、及び、植物栽培システムに関する。
【背景技術】
【０００２】
従来、この種の植物栽培システムとして、例えば、特許文献１に記載の植物栽培システムが知られている。この植物栽培システムにおいて、床面に固定した枠内に防水シートで周囲を包んだロックウールを並べ、そのロックウールを作物の培地とし、植物栽培用水を培地に供給することにより作物の栽培を行うようにされている。
ところで、非特許文献１に記載のように、植物栽培用水において、植物栽培用水中の酸素濃度が高いほど、植物の生育に資することが知られている。そこで、非特許文献１においては、植物栽培用水中の酸素濃度を高くすることを目的として、家庭用気泡浴装置により、植物栽培用水を曝気する技術が開示されている。
【先行技術文献】
【特許文献】
【０００３】
【特許文献１】実開昭６３−１０８６８号公報
【非特許文献】
【０００４】
【非特許文献１】パナソニック電工技法（Ｖｏｌ．５９  Ｎｏ．２）１５頁−１８頁
【発明の概要】
【０００５】
しかしながら、曝気により植物栽培用水中の酸素濃度を高くする技術の場合、長時間にわたり高酸素濃度を維持できないなど、植物栽培用水中の酸素濃度を効果的に高めることができなかった。
【発明が解決しようとする課題】
【０００６】
上記の課題に鑑み、植物栽培用水中の酸素濃度を効果的に高めることが可能な技術が要望されている。
【課題を解決するための手段】
【０００７】
本発明に係る植物栽培用水は、オゾン水を生成し、前記オゾン水中のオゾンの分解反応により、溶存オゾン濃度が所定オゾン濃度以下になり、且つ、溶存酸素濃度が所定酸素濃度以上となっている。
【０００８】
つまり、本発明者らは、オゾン水を生成し、このオゾン水中のオゾンを分解反応により、酸素に変化させることにより、長時間にわたって、植物栽培用水中の酸素濃度を高濃度に保つことが可能である点を見出した。したがって、本構成により、長時間にわたって、植物栽培用水中の酸素濃度を高濃度に保つことが可能であり、植物の好適な生育に資する植物栽培用水を提供することができる。
【０００９】
上記構成において、オゾンガスを水に溶解させることにより、若しくは、水を電気分解することによりオゾン水を生成すると好適である。
【００１０】
本構成により、比較的容易にオゾン水を生成することができ、高濃度の酸素を含む植物栽培用水を効率的に提供することができる。
【００１１】
上記構成において、前記所定オゾン濃度が０．１ｐｐｍ〜１０ｐｐｍであると好適である。
【００１２】
植物栽培用水中のオゾン濃度が高い場合、オゾンの作用により、植物の生育を阻害する可能性がある。そこで、植物栽培用水中のオゾン濃度を上記のようにすることにより、オゾンの作用による植物の生育の阻害を防止して、植物を好適に生育させることができる植物栽培用水を得ることができる。
【００１３】
上記構成において、前記所定酸素濃度が当該植物栽培用水の温度における飽和酸素濃度より高い酸素濃度であると好適である。
【００１４】
つまり、オゾン水を生成し、このオゾン水中のオゾンを分解反応により、酸素に変化させることにより、植物栽培用水中の酸素濃度を、植物栽培用水の温度における飽和酸素濃度より高い酸素濃度とすることができる。この結果、植物栽培用水中に多量の酸素が含まれており、植物の生育に資することができる。
【００１５】
上記構成において、溶存オゾン濃度が前記所定オゾン濃度以下となった後に所定の肥料成分を添加すると好適である。また、前記肥料成分が、鉄及びマンガンからなる群より選ばれた少なくとも１以上の物質を含むと好適である。
【００１６】
つまり、植物栽培用水に肥料成分を含有させる場合があり、肥料成分としては、鉄やマンガン等が用いられる。これらの肥料成分は、水に可溶なイオン種として植物栽培用水中に溶解している。植物栽培用水中のオゾン濃度が高い場合、オゾンの酸化作用により、鉄やマンガン等が、不溶性の酸化物となり、沈殿する場合がある。そこで、溶存オゾン濃度が低い状態で肥料成分を添加することにより、植物栽培用水中に肥料成分を確実に溶解させている。この結果、肥料成分が沈殿することを防止して、植物栽培用水中に安定して溶解させることができ、植物の種類に応じて、肥料成分の濃度を安定的に設定することができる。
【００１７】
本発明の植物栽培用水の製造方法は、オゾン水を生成するオゾン水生成工程と、前記オゾン水中のオゾンの分解反応により、溶存オゾン濃度を所定オゾン濃度以下とし、且つ、溶存酸素濃度を所定酸素濃度以上とする分解反応工程と、を備える。
【００１８】
本構成によれば、オゾン水生成工程によりオゾン水を生成し、分解反応工程において、オゾン水中のオゾンを分解して植物栽培用水を製造している。この結果、長時間にわたって、酸素濃度を高濃度に保つことができ、植物の好適な生育に資する植物栽培用水を製造することができる。
【００１９】
前記オゾン水生成工程において、オゾンガスを水に溶解させることにより、若しくは、水を電気分解することによりオゾン水を生成すると好適である。
【００２０】
本構成により、比較的容易にオゾン水を生成することができ、高濃度の酸素を含む植物栽培用水を効率的に製造することができる。
【００２１】
前記所定オゾン濃度が０．１ｐｐｍ〜１０ｐｐｍであると好適である。
【００２２】
植物栽培用水中のオゾン濃度が高い場合、オゾンの作用により、植物の生育を阻害する可能性がある。そこで、植物栽培用水中のオゾン濃度を０．１ｐｐｍ〜１０ｐｐｍ以下とすることにより、オゾンの作用による植物の生育の阻害を防止して、植物を好適に生育させることができる植物栽培用水を製造することができる。
【００２３】
上記構成において、前記所定酸素濃度が当該植物栽培用水の温度における飽和酸素濃度より高い酸素濃度であると好適である。
【００２４】
つまり、オゾン水を生成し、このオゾン水中のオゾンを分解反応により、酸素に変化させることにより、植物栽培用水中の酸素濃度を、植物栽培用水の温度における飽和酸素濃度より高い酸素濃度とすることができる。この結果、植物栽培用水中に多量の酸素が含まれており、植物の生育に資することができる植物栽培用水を製造することができる。
【００２５】
上記構成において、溶存オゾン濃度が前記所定オゾン濃度以下となった後に所定の肥料成分を添加する肥料成分添加工程を備えると好適である。また、前記肥料成分添加工程で添加される前記肥料成分が、鉄及びマンガンからなる群より選ばれた少なくとも１以上の物質を含むと好適である。
【００２６】
植物栽培用水に肥料成分を含有させる場合があり、肥料成分としては、鉄やマンガン等が用いられる。これらの肥料成分は、水に可溶なイオン種として植物栽培用水中に溶解している。植物栽培用水中のオゾン濃度が高い場合、オゾンの酸化作用により、鉄やマンガン等が、不溶性の酸化物となり、沈殿する場合がある。そこで、溶存オゾン濃度が低い状態で肥料成分を添加することにより、植物栽培用水中に肥料成分を確実に溶解させることができる。この結果、肥料成分が沈殿することを防止して、植物栽培用水中に安定して溶解させることができ、植物の種類に応じて、肥料成分の濃度を安定的に設定することができる。
【００２７】
本発明の植物栽培用水の製造を行う植物栽培用水製造設備は、オゾン水を生成するオゾン水生成装置と、オゾン水中の溶存オゾンの分解反応を行う反応槽とを備えた。
本構成により、好適に上記の植物栽培用水を製造することができる。
【００２８】
本発明の植物栽培システムは、上記の植物栽培用水製造設備と、前記植物栽培用水の製造設備で製造された植物栽培用水を、栽培床に灌水する灌水装置とを備えた。
本構成により、上記の植物栽培用水を好適に植物に供給することができる。
【図面の簡単な説明】
【００２９】
【図１】本発明の植物栽培システムを示す図である。
【図２】本発明の植物栽培システムに適用される灌水装置を示す図である。
【図３】本発明の植物栽培システムの別の例を示す図である。
【図４】本発明の植物栽培用水の製造方法を示すフローである。
【図５】実験結果を示すグラフである。
【発明を実施するための形態】
【００３０】
以下、本発明の実施例を図面に基づいて説明する。
【００３１】
（植物栽培用水）
本発明の植物栽培用水は、例えば、植物栽培システム１（図１〜３を参照）において、栽培床（培地Ｍ）に対する灌水に用いられる。
この植物栽培用水は、オゾン水を生成し、オゾン水中のオゾンの分解反応により、溶存オゾン濃度が所定オゾン濃度以下になり、且つ、溶存酸素濃度が所定酸素濃度以上となっている。また、植物栽培用水は、肥料成分を含んでもよい。
【００３２】
ここで、「所定オゾン濃度」は、特に限定されないが、オゾンが栽培する植物に悪影響を及ぼすことを防止できる濃度に設定することができる。例えば、所定オゾン濃度は、１０ｐｐｍ〜０．１ｐｐｍ  に設定することができ、好ましくは  １ｐｐｍであり、さらに好ましくは０．１ｐｐｍであるである。
【００３３】
つまり、特に限定はされないが、植物の生育の観点からは、植物栽培用水の残留オゾン濃度は、１０ｐｐｍ以下に設定することができ、好ましくは１ｐｐｍ以下であり、さらに好ましくは０．１ｐｐｍ以下である。
【００３４】
なお、植物栽培用水にある程度オゾンを残存させておくことにより、オゾンの殺菌効果により、灌水装置３の植物培養用水連通路３３，３５（図２を参照）に藻やカビ等が発生することを防止する効果が期待できる。この場合、植物の生育の観点と、オゾンの殺菌効果の観点とのバランスから、植物栽培用水の残留オゾン濃度は、特には限定はされないが、低濃度で植物の生育に影響がない程度とすることが好ましい。もちろん、植物培養用水連通路３３，３５の殺菌については、例えば、灌水装置３が休止している際等に別途にオゾン水を流通させる等の方法により行ってもよい。この場合、必ずしも植物栽培用水にオゾンを残存させる必要はなく、上記の植物の生育の観点から残留オゾン濃度を決定すればよい。
【００３５】
ここで、「所定酸素濃度」は、特に限定はされないが、植物栽培用水の温度における飽和酸素濃度よりも高い濃度に設定することができる。例えば、常圧、２０℃で、９ｐｐｍ以上であれば好ましく、さらに好ましくは１０ｐｐｍ以上である。
【００３６】
ここで、肥料成分は、特に限定されないが、鉄やマンガン、カルシウム等が挙げられる。これらは、単独で植物栽培用水に含まれてもよく、複数種を組み合わせて含まれてもよい。これらの成分は、植物栽培用水に可溶なイオン種の形態で、植物栽培用水に溶解している。
【００３７】
（植物栽培用の製造方法）
図４に示すように、本発明の物栽培用水の製造方法は、オゾン水を生成するオゾン水生成工程と、オゾン水中のオゾンの分解反応により、溶存オゾン濃度を所定オゾン濃度以下とし、且つ、溶存酸素濃度を所定酸素濃度以上とする分解反応工程とを備える。また、必須の工程ではないが、溶存オゾン濃度が所定オゾン濃度以下となった後に所定の肥料成分を添加する肥料成分添加工程を備えてもよい。以下、各工程について説明する。
【００３８】
オゾン水生成工程において、例えば、水にオゾンガスを溶解することにより、オゾン水を生成する。オゾン水生成工程において使用される水は特に限定はされないが、例えば、地下水、河川水、雨水、水道水、及び、植物栽培用水の再生処理水等を利用することができる。
【００３９】
オゾン水生成工程において生成されるオゾン濃度は、特に限定はされないが、例えば、１０ｐｐｍ〜３０ｐｐｍ程度とすることができる。つまり、オゾン濃度をこの程度に設定することにより、比較的安価なオゾン水発生装置を適用することができ、且つ、分解反応工程後の酸素濃度を十分なものにすることができる。また、水源として、地下水、河川水、雨水、植物栽培用水の再利用水を用いる場合、オゾンによる十分な殺菌効果が期待できる。
【００４０】
オゾン水生成工程において、水中に含まれる鉄及びマンガン等が除去される。つまり、オゾンの酸化作用により、鉄及びマンガンが、水に不溶性（難溶性）の酸化鉄、二酸化マンガン等の酸化物に変化することにより、沈殿し、当該沈殿物が除去される。なお、除去された沈殿物は、肥料成分として、植物を栽培する培地や土壌等に供給してもよい。また、還元反応により、可溶化したした後に、後述する肥料成分添加工程において肥料成分として利用してもよい。また、オゾン水生成工程においては、オゾンの殺菌作用により、水の殺菌も行われる。このため、水道水以外の地下水、河川水、雨水、及び、植物栽培用水の再生処理水等であっても好適に利用することができる。
【００４１】
オゾン水生成工程において、オゾン濃度測定器等を用いて水中のオゾン濃度を測定し、オゾン濃度が所期の濃度になるまでオゾン水生成工程を継続してもよい。また、オゾン濃度が所期の濃度になるために必要な時間をあらかじめ決定しておき、当該時間が経過するまで  オゾン水生成工程を継続してもよい。
【００４２】
なお、オゾン水生成工程は、水にオゾンガスを溶解する工程に限定されるものではなく、例えば、水を電気分解することによりオゾンを発生させ当該オゾンを水に溶解させる工程など、オゾン水が生成される工程であればいずれの工程であってもよい。
【００４３】
分解反応工程において、オゾンの分解反応により、オゾン濃度が所定オゾン濃度以下とされる。また、オゾンの分解反応に伴い、酸素濃度が所定酸素濃度以上となる。具体的には、分解反応工程において、オゾン水生成工程で生成されたオゾン水を、オゾン濃度が所定オゾン濃度以下になるまで放置しておく。つまり、オゾンは安定性が低く、時間の経過とともに、分解反応により酸素に変化する。この結果、水中のオゾン濃度が低下して所定オゾン濃度以下になる。一方、水中の酸素濃度は増加して所定酸素濃度以上となる。
【００４４】
分解反応工程において、オゾン濃度測定器等を用いて水中のオゾン濃度を測定し、オゾン濃度が所期の濃度になるまで分解反応工程を継続してもよい。また、オゾン濃度が所期の濃度になるために必要な時間をあらかじめ決定しておき、当該時間が経過するまで  分解反応工程を継続してもよい。
【００４５】
なお、上記では、分解反応工程においてオゾン水を放置してオゾンの分解反応を進行させる例を説明したが、例えば、オゾン水を撹拌することにより、オゾンの分解反応を促進してもよい。
【００４６】
肥料成分添加工程において、分解反応工程により水中のオゾン濃度が所定オゾン濃度以下となった植物栽培用水に、肥料成分が添加される。添加される肥料成分としては、特に限定されないが、例えば、鉄、マンガン、カルシウム等を用いることができる。これらは、単独で用いられてもよく、組み合わせて用いられてもよい。これらは、可溶性のイオン種の状態で植物栽培用水に溶解される。特に限定はされないが、例えば、肥料成分添加工程において、あらかじめ肥料成分を溶解させた溶液を植物栽培用水に添加することにより、肥料成分を添加することができる。なお、固体状の肥料成分を植物栽培用水に添加して溶解させてもよい。
【００４７】
（植物栽培用水製造設備）
本発明の植物栽培用水を製造する植物栽培用水製造設備の一例について、以下に説明する。
【００４８】
この植物栽培用水製造設備２は、図１に示すように、オゾン水を生成するオゾン水生成装置２２と生成されたオゾン水中のオゾン濃度をオゾンの分解反応により所定オゾン濃度以下にする分解反応槽２３とを備える。また、必須の構成要素ではないが、この実施例では、植物栽培用水製造設備２は、オゾン水やオゾン水を生成する前の水を貯留する貯留槽２１を備える。また、植物栽培用水に肥料成分を添加する肥料混入装置２４を備える。
【００４９】
貯留槽２１は水源と連通されており、貯留槽２１に水源からの水が供給される。上記の通り、水源としては、例えば、地下水、河川水、雨水、水道水、及び、再生処理水等を利用することができるが、特に限定はされない。
【００５０】
オゾン水生成装置２２は、オゾンガスを発生させるオゾン発生機２２ｂと、水とオゾン発生機２２ｂで発生したオゾンガスとを接触させて、水にオゾンガスを溶解させる混合槽２２ａとを有する。本実施例において、貯留槽と２１混合槽２２ａとが、供給側流通路２１１及び戻り側流通路２１２の２つの流通路で連通されている。また、混合槽２２ａとオゾン発生機２２ｂとがオゾンガス流通路２２０により連通されている。上記構成により、貯留槽２１の水が、供給側流通路２１１及び戻り側流通路２１２を介して、貯留槽２１と混合槽２２ａとを循環することにより、オゾン水が生成される。貯留槽２１には、水位計やオゾン濃度測定器等を備えてもよい。
【００５１】
なお、水を電気分解することによりオゾン水を生成する場合には、貯留槽２１に電気分解のための電極を設けたものをオゾン水生成装置とすることができる。また、別途に電気分解のための電気分解槽を設け、貯留槽２１と電気分解槽とで水を循環させてもよい。
【００５２】
貯留槽２１と分解反応槽２３とが、オゾン水流通路２１０により連通されている。貯留槽２１中のオゾン水が、オゾン水流通路２１０を介して分解反応槽２３に供給される。分解反応槽２３において、オゾンの分解反応により、水中のオゾン濃度が所定オゾン濃度以下になるまで、オゾンの分解反応が行われる。なお、本実施例では、分解反応槽中２３にオゾン水を放置しておくことにより、オゾンの分解反応が行われる。なお、オゾン水を撹拌することにより分解反応を促進する場合には撹拌装置を備えるとよい。
【００５３】
分解反応槽２３には、植物栽培用水を灌水装置３側に供給する植物栽培用水連通路２３０が接続されている。水中のオゾン濃度が所定オゾン濃度以下となった植物栽培用水が、植物栽培用水連通路２３０を流通して、灌水装置３に供給される。分解反応槽２３には、水位計やオゾン濃度測定器等を備えてもよい。
【００５４】
本実施例では、植物栽培用水連通路２３０の中途部に肥料混入装置２４が接続されている。肥料混入装置２４により、植物栽培用水に肥料成分が混入される。肥料成分が水溶液等の液体状の場合には、肥料混入装置２４は、例えば、液体状の肥料成分を貯留する肥料成分貯留槽と、植物栽培用水に対して肥料成分を供給するポンプ等を備える。一方、肥料成分が、顆粒等の固体状の場合には、肥料混入装置２４は、例えば、固体状の肥料成分を貯留する肥料成分貯留槽と、植物栽培用水に対して肥料成分を繰り出す繰り出し装置等を備える。
【００５５】
なお、上記の実施例の説明で用いた図１は、植物栽培用水製造設備２が植物栽培システム１に組み込まれている例を示すが、植物栽培用水製造設備２は独立して存在してもよい。また、上記の植物栽培用水製造設備２は本発明の植物栽培用水を製造する（本発明の植物栽培用水の製造方法を実施する）設備の一例を示すものであり、上記に限定されるものではない。
【００５６】
（植物栽培システム）
以下、本発明の植物栽培用水を適用した植物栽培システム１の一例について、図面に基づいて説明する。図１及び２に示すように、この植物栽培システム１は、上記の植物栽培用水製造設備２と、灌水装置３とを有する。
【００５７】
この植物栽培システム１は、水耕栽培（養液栽培）により植物を生育するシステムである。この植物栽培システム１において、植物Ｃを培地Ｍに植え、その培地Ｍに植物栽培用水を供給することにより、植物Ｃを生育する。適用可能な植物は特に限定はされないが、例えば、トマト、キュウリ、ナス、イチゴ等の果菜類に適用可能である。
【００５８】
灌水装置３は、植物栽培用水製造設備２で製造された植物栽培用水を植物Ｃに供給するものである。灌水装置３は、一端が植物培養用水製造設備２側に接続された植物培養用水連通路３３、３５を備える。植物培養用水連通路は、主連通路３３と主連通路３３から分岐して各植物Ｃの株元に延びる分岐連通路３５とを有する。また、培地Ｍからの排液が連通する排液連通路３４を備える。排液連通路３４は、排液槽４に接続されている。
【００５９】
上記構成により、植物栽培用水製造設備２で製造された植物栽培用水が植物培養用水連通路の主連通路３３及び分岐連通路３５を介して植物Ｃに供給される。供給された植物栽培用水の一部は、培地Ｍからの排液として、排液連通路３４を介して、排液槽４に回収される。回収された排液は、上記の植物栽培用水製造設備２において、貯留槽２１に供給され、植物栽培用水の製造に再利用される。
【００６０】
なお、上記では、植物栽培システム１として、水耕栽培を行う植物栽培システムを例に説明したが、例えば、土耕栽培を行う植物栽培システム１等上記以外のシステムであってもよい。この場合、図２に示すように、排液連通路３４及び排液槽４を備えない点で上記の植物栽培システム１とは異なる。なお、上記の水耕栽培を行う植物栽培システム１においても、図２と同様に、排液連通路３４及び排液槽４を備えない構成としてもよい。
【００６１】
（実験例）
水に種々の方式により酸素もしくはオゾンを溶解させた場合の水中の溶存酸素濃度の経時変化を測定した。実験は、常圧、２０℃の条件下で行った。酸素もしくはオゾンを溶解させる水としては、実際の植物栽培システムにおいて、植物栽培用水の排水を再利用する場合を想定して、植物を栽培した後の植物栽培用水の排水を用いた（以下、この排水を単に「水」と称する）。
【００６２】
図５中の「オゾン」は、水に対してオゾンガスの気泡を接触させて溶解させた場合、「曝気」は、水に対して空気の気泡を接触させて酸素を溶解させた場合、「マイクロバブルは、水に対して空気のマイクロバブル（つまり、上記の「曝気」における気泡よりも小さいマイクロサイズの微細気泡）を接触させて酸素を溶解させた場合の結果を示す。
【００６３】
各方式について、１０分おきに９０分経過時まで水中の酸素濃度を測定して、酸素濃度の経時変化を調べた。酸素濃度は溶存酸素計やＤＯメータにより測定することができる。
【００６４】
上記実験結果によれば、図５に示すように、「オゾン」の場合には、酸素濃度は測定開始時の約１２ｐｐｍから若干低下したものの、９０分経過時においても、飽和酸素量（約９ｐｐｍ）よりも大きな値を保っていた。これは、水中のオゾンが分解反応により、酸素となり、酸素の微細な気泡が水中に留まっているためであると考えられる。また、本実験では、植物栽培用水の排水を利用していることから、水中には酸素を消費する種々の微生物が存在すると考えられるが、「オゾン」の場合には、オゾンの強い酸化作用による殺菌効果により、これらの微生物が死滅していると考えられる。つまり、「オゾン」の場合には、「曝気」及び「マイクロバブル」の場合とは異なり、水中に酸素を消費する微生物が存在しない（もしくはほとんど存在しない）状態となっていると考えられる。この点も、「オゾン」の場合に大きな溶存酸素濃度を維持できる要因であると考えられる。
【００６５】
一方、「曝気」の場合には、酸素濃度は測定開始時の約８ｐｐｍから急激に低下して、９０経過時には、１ｐｐｍ以下まで低下した。「マイクロバブル」の場合も、「曝気」よりは高い酸素濃度を保ったものの、酸素濃度は測定開始時の約１０ｐｐｍから急激に低下して、９０経過時には、約１ｐｐｍまで低下した。
【００６６】
上記の実験結果より、水にオゾンを溶解させる方式を採ることにより、長時間にわたり高い溶存酸素濃度を維持することができ、本発明の有効性が確認できた。
【産業上の利用可能性】
【００６７】
本発明材は、各種植物の栽培に利用可能である。
【符号の説明】
【００６８】
１      植物栽培システム
２      植物栽培用水製造設備
３      灌水設備
２２    オゾン水生成装置
２３    分解反応槽
【図１】
2015043729.tif 000003
【図２】
2015043729.tif 000004
【図３】
2015043729.tif 000005
【図４】
2015043729.tif 000006
【図５】
2015043729.tif 000007